(57)【要約】【課題】本発明は大きな移動量でも長いコイルスプリングを用いることなく、小型コンパクトに設置することができる開閉目地パネル装置用付勢機構および開閉目地パネル装置を得るにある。【解決手段】目地部が狭くなるように揺れ動いた場合に目地パネルが開放状態となり、その揺れ動きが停止すると目地パネルを元の状態に自動的に戻すことができる開閉目地パネル装置用付勢機構において、この開閉目地パネル装置用付勢機構は目地パネルの遊端部あるいは遊端部側に一端部が取付けられ目地パネルに取付けられていない方の他方の建物の躯体側に他方が位置されるワイヤと、このワイヤの他端部が固定され外周部に巻付けられる円筒状のドラム、このドラムが回転可能に該ドラム内を貫通する軸、この軸の外周部に螺旋状に巻付けられた一端部が軸に固定され他端部がドラムに固定されたコイルスプリング、軸の両端部に固定された他方の建物の躯体に固定される一対のブラケットとからなる巻取り機構とで開閉目地パネル装置用付勢機構を構成している。【選択図】  図１
2004244987.tif 000002
【特許請求の範囲】
【請求項１】
地震等によって左右の建物の目地部が狭くなるように揺れ動いた場合に目地パネルが開放状態となり、その揺れ動きが停止すると開放した目地パネルを元の状態に自動的に戻すことができる開閉目地パネル装置用付勢機構において、この開閉目地パネル装置用付勢機構は目地パネルの遊端部あるいは遊端部側に一端部が取付けられ、該目地パネルに取付けられていない方の他方の建物の躯体側に他方が位置されるワイヤと、このワイヤの他端部が固定され、外周部に巻付けられる円筒状のドラム、このドラムが回転可能に該ドラム内を貫通する軸、この軸の外周部に螺旋状に巻付けられた一端部が該軸に固定され、他端部が前記ドラムに固定されたコイルスプリング、前記軸の両端部に固定された他方の建物の躯体に固定される一対のブラケットとからなる巻取り機構とで構成されていることを特徴とする開閉目地パネル装置用付勢機構。
【請求項２】
地震等によって左右の建物の目地部が狭くなるように揺れ動いた場合に目地パネルが開放状態となり、その揺れ動きが停止すると開放した目地パネルを元の状態に自動的に戻すことができる開閉目地パネル装置用付勢機構において、この開閉目地パネル装置用付勢機構は目地パネルの遊端部あるいは遊端部側に一端部が取付けられ、該目地パネルに取付けられていない方の他方の建物の躯体側に他方が位置されるワイヤと、このワイヤの他端部が固定され、外周部に巻付けられる円筒状のドラム、このドラムが回転可能に該ドラム内を貫通する軸、この軸の外周部に螺旋状に巻付けられた一端部が該軸に固定され、他端部が前記ドラムに固定されたコイルスプリング、前記軸の両端部に固定された他方の建物の躯体に固定される一対のブラケットとからなる巻取り機構と、前記軸の両端部に固定された前記ドラムの外周部よりも外方に突出してフランジ状となる他方の建物の躯体に固定される一対のブラケットで構成されていることを特徴とする開閉目地パネル装置用付勢機構。
【請求項３】
地震等によって左右の建物の目地部が狭くなるように揺れ動いた場合に、前記左右の建物の目地部側の躯体に後端部が枢支され、傾斜面に形成された遊端部によって一方が前方へ押し出される左右の目地パネルと、この左右の目地パネルの遊端部に一端部が取付けられ、他端部が他方の躯体側に取付けられた、該左右の目地パネルの回動が可能でかつ常時閉方向に付勢する一対の開閉目地パネル装置用付勢機構とからなる開閉目地パネル装置において、前記一対の開閉目地パネル装置用付勢機構を目地パネルの遊端部あるいは遊端部側に一端部が取付けられ、該目地パネルに取付けられていない方の他方の建物の躯体側に他方が位置されるワイヤと、このワイヤの他端部が固定され、外周部に巻付けられる円筒状のドラム、このドラムが回転可能に該ドラム内を貫通する軸、この軸の外周部に螺旋状に巻付けられた一端部が該軸に固定され、他端部が前記ドラムに固定されたコイルスプリング、前記軸の両端部に固定された他方の建物の躯体に固定される一対のブラケットとからなる巻取り機構とで構成したことを特徴とする開閉目地パネル装置
【発明の詳細な説明】
【０００１】
【発明の属する技術分野】
本発明は開閉目地パネル装置用付勢機構および開閉目地パネル装置に関する。
【０００２】
【従来の技術】
従来、左右の建物の目地部が地震等によって揺れ動いて狭くなると、開閉目地パネルの回動が可能で、その揺れ動きが停止する元の状態へ自動的に戻することができる開閉目地パネルの遊端部に取付けられたワイヤと、このワイヤを常時開閉目地パネルを閉方向に付勢するコイルスプリングとからなる付勢機構が使用されている。
【０００３】
［特許文献］      特開２０００−８４９８号
【０００４】
【発明が解決しようとする課題】
従来の開閉目地パネル装置の付勢機構はワイヤとコイルスプリングを用いているので、５００ｍｍ〜９００ｍｍというように、だんだん移動量が大きく設定されるようになっているため、それ以上の長さのコイルスプリングと、該コイルスプリングとほぼ同じ長さをワイヤに遊び寸法として設けなければならず、取付け作業が大変であるとともに、このような長いワイヤとコイルスプリングの設置場所が得られない場所には設置することができないという欠点があった。
【０００５】
本発明は以上のような従来の欠点に鑑み、大きな移動量でも長いコイルスプリングを用いることなく、小型コンパクトに設置することができる開閉目地パネル装置用付勢機構および開閉目地パネル装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は地震等によって左右の建物の目地部が狭くなるように揺れ動いた場合に目地パネルが開放状態となり、その揺れ動きが停止すると開放した目地パネルを元の状態に自動的に戻すことができる開閉目地パネル装置用付勢機構において、この開閉目地パネル装置用付勢機構は目地パネルの遊端部あるいは遊端部側に一端部が取付けられ、該目地パネルに取付けられていない方の他方の建物の躯体側に他方が位置されるワイヤと、このワイヤの他端部が固定され、外周部に巻付けられる円筒状のドラム、このドラムが回転可能に該ドラム内を貫通する軸、この軸の外周部に螺旋状に巻付けられた一端部が該軸に固定され、他端部が前記ドラムに固定されたコイルスプリング、前記軸の両端部に固定された他方の建物の躯体に固定される一対のブラケットとからなる巻取り機構とで開閉目地パネル装置用付勢機構を構成している。
【０００８】
また、本発明は地震等によって左右の建物の目地部が狭くなるように揺れ動いた場合に、前記左右の建物の目地部側の躯体に後端部が枢支され、傾斜面に形成された遊端部によって一方が前方へ押し出される左右の目地パネルと、この左右の目地パネルの遊端部に一端部が取付けられ、他端部が他方の躯体側に取付けられた、該左右の目地パネルの回動が可能でかつ常時閉方向に付勢する一対の開閉目地パネル装置用付勢機構とからなる開閉目地パネル装置において、前記一対の開閉目地パネル装置用付勢機構を目地パネルの遊端部あるいは遊端部側に一端部が取付けられ、該目地パネルに取付けられていない方の他方の建物の躯体側に他方が位置されるワイヤと、このワイヤの他端部が固定され、外周部に巻付けられる円筒状のドラム、このドラムが回転可能に該ドラム内を貫通する軸、この軸の外周部に螺旋状に巻付けられた一端部が該軸に固定され、他端部が前記ドラムに固定されたコイルスプリング、前記軸の両端部に固定された他方の建物の躯体に固定される一対のブラケットとからなる巻取り機構とで開閉目地パネル装置を構成している。
【０００９】
【発明の実施の形態】
以下、図面に示す実施の形態により、本発明を詳細に説明する。
【００１０】
図１ないし図９に示す本発明の第１の実施の形態において、１は左右の建物２、２等の躯体３、３間の目地部４が、例えば高さ寸法が６００ｍｍ、幅寸法が８００ｍｍの場所等に設置される本発明の開閉目地パネル装置で、この開閉目地パネル装置１は後端部が前記左右の建物２、２の目地部４側の躯体３、３にヒンジ部材５、５を介して、重なり合う傾斜面６、７に形成された遊端部が前方へ回動するように取付けられた左右の目地パネル８、８Ａと、この左右の目地パネル８、８Ａの後端部と当接し、該左右の目地パネル８、８Ａの遊端部が後方へ回動するのを阻止するように、前記目地部４側の左右の躯体３、３に固定されたストッパー片９、９と、前記左右の目地パネル８、８Ａの遊端部の前方への回動が可能で、常時該左右の目地パネル８、８Ａが前記ストッパー片９、９に当接するように付勢する開閉目地パネル装置用付勢機構１０、１０とで構成されている。
【００１１】
前記開閉目地パネル装置用付勢機構１０は一端部が前記左右の目地パネル８、８Ａの遊端部に取付けられ、他端部が該左右の目地パネル８、８Ａに取付けられた反対側の目地部４側の躯体３、３方向に位置されるワイヤ１１、１１と、このワイヤ１１、１１の他端部を巻取る、前記目地部４側の躯体３、３に取付けられた巻取り機構１２、１２とで構成され、該巻取り機構１２、１２は図４ないし図７に示すように、外周部に前記ワイヤ１１を巻付けられる両端部に軸受部材１３、１３が取付けられる円筒状のドラム１４と、このドラム１４が回転可能に該ドラム１４内を貫通する軸１５と、この軸１５の外周部に螺旋状に巻付けられた一端部が該軸１５にビス１６等で固定され、他端部が前記ドラム１４にビス１６等によって固定されたコイルスプリング１７と、前記ドラム１４の両端部に位置してフランジ部となるように前記軸１５の両端部にビス１８等によって固定された、前記躯体３に複数本のビス１９等によって固定される一対のブラケット２０、２０と、前記ドラム１４の端部寄りの部位に固定されたロープ２１の一端部を結び付けるロープ取付片２２とで構成されている。
【００１２】
上記構成の開閉目地パネル装置１は左右の目地パネル８、８Ａの遊端部が、該左右の目地パネル８、８Ａが取付けられている躯体３、３とは反対側の躯体３、３に取付けられた巻取り機構１２、１２にワイヤ１１、１１を介して常時ストッパー片９、９に当接するように付勢された状態で設置される。
この場合、ドラム１４のロープ取付片２２にロープ２１の一端部を結び付け、ロープ２１をドラム１４に設置状態でのワイヤ１１の巻付け量の約２倍となるように巻付けた後、ロープ２１を引張ってドラム１４を回転させることにより、コイルスプリング１７に付勢力が付与された状態となる。
ロープ２１をドラム１４に巻付けた分だけ引張り、この状態でワイヤ１１の他端部をドラム１４に固定し、ロープ２１の引張り状態を順次ゆるめて、コイルスプリング１７の付勢力によってドラム１４が回転してワイヤ１１を該ドラム１４に巻付ける。
したがって、通常時は左右の目地パネル８、８Ａによって目地部４が覆われた状態となるように開閉目地パネル装置用付勢機構１０、１０によって付勢された状態となる。
【００１３】
地震等によって左右の建物２、２が揺れ動き、目地部４が広くなった場合には図８に示すように、巻取り機構１２、１２のドラム１４、１４に巻付けられていたワイヤ１１、１１がコイルスプリング１７、１７の付勢力に抗して引き出されて、その揺れ動きを吸収するとともに、左右の建物２、２が異なる前後方向に揺れ動いても、左右の目地パネル８、８Ａの遊端部に取付けられたワイヤ１１、１１によって他方の目地パネル８Ａの背面内に入り込むのを確実に阻止することができる。
【００１４】
目地部４が狭くなるように揺れ動いた場合には、図９に示すように左右の目地パネル８、８Ａの先端部の傾斜面６、７によって、一方の目地パネル８が前方へ押し付けられて回動して、その揺れ動きを吸収する。
この場合、ワイヤ１１、１１にたるみが生じないように、コイルスプリング１７、１７の付勢力によって、ドラム１４、１４がワイヤ１１、１１を巻付ける方向に付勢された状態になっている。
【００１５】
【発明の異なる実施の形態】
次に、図１０ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１０ないし図１２に示す本発明の第２の実施の形態において、前記本発明の第１の実施の形態と主に異なる点は、ドラム１４の外周部よりも外周部が大きいフランジ部２３、２３が形成された軸受部材１３Ａ、１３Ａを、該ドラム１４の両端部に取付けた巻取り機構１２Ａを使用した開閉目地パネル装置用付勢機構１０Ａ、１０Ａを用いた点で、このように構成した開閉目地パネル装置１Ａにしても、前記本発明の第１の実施の形態と同様な作用効果が得られる。
【００１７】
図１３ないし図１５に示す本発明の第３の実施の形態において、前記本発明の第１の実施の形態と主に異なる点は、ドラム１４の一端部にコイルスプリング１７の一端部が挿入される挿入１４ａを形成し、該挿入孔１４ａ内にコイルスプリング１７の一端部を挿入して軸受部材１３Ｂをドラム１４に複数本のビス２４で固定することにより、コイルスプリング１７の一端部をドラム１４に固定できるようにした巻取り機構１２Ｂを使用した開閉目地パネル装置用付勢機構１０Ｂ、１０Ｂを用いた点で、このように構成した開閉目地パネル装置１Ｂにしても、前記本発明の第１の実施の形態と同様な作用効果が得られる。
【００１８】
図１６ないし図１８に示す本発明の第４の実施の形態において、前記本発明の第１の実施の形態と主に異なる点は、工場出荷時にテンションをかけた状態で軸１５にビス１８で固定されたブラケット２０Ａとドラム１４の端部に固定された軸受部材１３とをロックボルト２５で固定した開閉目地パネル装置用付勢機構１０Ｃ、１０Ｃを用いた点で、このように構成した開閉目地パネル装置１Ｃにしても、前記本発明の第１の実施の形態と同様な作用効果が得られるとともに、ワイヤ１１の端部ををドラム１４に固定し、ロックボルト２５のロックを解除することにより、ドラム１４にワイヤ１１を容易に巻き付けさせることができる。
【００１９】
図１９ないし図２１に示す本発明の第５の実施の形態におい．、前記本発明の第１の実施の形態と主に異なる点は、一方の建物２の目地部４側の躯体３にヒンジ部材５を介して外方へ回動可能に取付けられた遊端部に、ほぼ内側に直角に折り曲げられた支持片２６を有する一方の目地パネル８Ｂと、この一方の目地パネル８Ｂの支持片２６の先端部に、中央ヒンジ部材２７を介して回動するように取付けられた後端部にほぼ直角に折り曲げられた支持片２８、遊端部に前記中央ヒンジ部材２７よりも内側部位で、他方の建物２の目地部４側躯体３と接触する接触片２９を有する他方の目地パネル８Ｃと、常時は前記一方の目地パネル８Ｂと他方の目地パネル８Ｃとをほぼ同一面に保持し、目地部４が狭くなると前記中央ヒンジ部２７が外方へ突出するように、一方の目地パネル８Ｂと他方の目地パネル８Ｃとを回動させることができる開閉目地パネル装置用付勢機構１０を用いた点で、このように構成した開閉目地パネル装置１Ｄにしても、前記本発明の第１の実施の形態と同様な作用効果が得られる。
【００２０】
なお、本発明は前記各実施の形態で示した開閉目地パネル装置以外の、目地部を覆い、目地部が狭くなると遊端部が回動する目地パネルと、該目地パネルを常時閉方向に付勢する付勢機構を用いる開閉目地パネル装置にも同様に実施することができる。
【００２１】
【発明の効果】
以上の説明から明らかなように、本発明にあっては次に列挙する効果が得られる。
【００２２】
（１）地震等によって左右の建物の目地部が狭くなるように揺れ動いた場合に目地パネルが開放状態となり、その揺れ動きが停止すると開放した目地パネルを元の状態に自動的に戻すことができる開閉目地パネル装置用付勢機構において、この開閉目地パネル装置用付勢機構は目地パネルの遊端部あるいは遊端部側に一端部が取付けられ、該目地パネルに取付けられていない方の他方の建物の躯体側に他方が位置されるワイヤと、このワイヤの他端部が固定され、外周部に巻付けられる円筒状のドラム、このドラムが回転可能に該ドラム内を貫通する軸、この軸の外周部に螺旋状に巻付けられた一端部が該軸に固定され、他端部が前記ドラムに固定されたコイルスプリング、前記軸の両端部に固定された他方の建物の躯体に固定される一対のブラケットとからなる巻取り機構とで構成されているので、目地パネルの回動により伸縮するワイヤをコイルスプリングで付勢されたドラムに巻付け状態にできる。
したがって、従来のようにコイルスプリングのリングの伸縮量と、それとほぼ同様のワイヤの遊びが必要とするものと比べ、小さな設置スペースで取付けることができる。
【００２３】
（２）前記（１）によって、目地パネルの背面に小さなスペースしかない場所にでも、容易に設置することができる。
【００２４】
（３）前記（１）によって、目地パネルの遊端部あるいは遊端部側に取付けられたワイヤを直接ドラムに巻付けることができる。
したがって、従来のようにガイド部材を介したりすることがなく、よりスムーズにワイヤを移動させることができ、目地パネルの回動が可能となる。
【００２５】
（４）請求項２、３も前記（１）〜（３）と同様な効果が得られる。
【図面の簡単な説明】
【図１】本発明の第１の実施の形態の取付け状態の正面図。
【図２】本発明の第１の実施の形態の取付け状態の背面図。
【図３】図１の３−３線に沿う断面図。
【図４】本発明の第１の実施の形態の巻取り機構の側面図。
【図５】本発明の第１の実施の形態の巻取り機構の平面図。
【図６】図５の６−６線に沿う断面図。
【図７】本発明の第１の実施の形態の巻取り機構の分解斜視図。
【図８】本発明の第１の実施の形態の目地部が広くなった動作説明図。
【図９】本発明の第１の実施の形態の目地部が狭くなった動作説明図。
【図１０】本発明の第２の実施の形態の取付け状態の正面図。
【図１１】図１０の１１−１１線に沿う断面図。
【図１２】本発明の第２の実施の形態の巻取り機構の説明断面図。
【図１３】本発明の第３の実施の形態の取付け状態の正面図。
【図１４】図１３の１４−１４線に沿う断面図。
【図１５】本発明の第３の実施の形態の巻取り機構の説明断面図。
【図１６】本発明の第４の実施の形態の取付け状態の正面図。
【図１７】図１６の１７−１７線に沿う断面図。
【図１８】本発明の第４の実施の形態の巻取り機構の説明断面図。
【図１９】本発明の第５の実施の形態の取付け状態の正面図。
【図２０】図１９の２０−２０線に沿う断面図。
【図２１】本発明の第５の実施の形態の巻取り機構の説明断面図。
【符号の説明】
１、１Ａ、１Ｂ、１Ｃ、１Ｄ：開閉目地パネル装置、
２：建物、              ３：躯体、
４：目地部、            ５：ヒンジ部材、
６：傾斜面、            ７：傾斜面、
８、８Ａ、８Ｂ、８Ｃ：目地パネル、
９：ストッパー片、
１０、１０Ａ、１０Ｂ、１０Ｃ：開閉目地パネル装置用付勢機構、
１１：ワイヤ、
１２、１２Ａ、１２Ｂ：巻取り機構、
１３、１３Ａ、１３Ｂ：軸受部材、
１４：ドラム、          １５、１５Ａ：軸、
１６：ビス、            １７：コイルスプリング、
１８：ビス、            １９：ビス、
２０、２０Ａ：ブラケット、
２１：ロープ、          ２２：ロープ取付片、
２３：フランジ、        ２４：ビス、
２５：ロックボルト、    ２６：支持片、
２７：中央ヒンジ部材、  ２８：支持片、
２９：接触片。
【図１】
2004244987.tif 000003
【図２】
2004244987.tif 000004
【図３】
2004244987.tif 000005
【図４】
2004244987.tif 000006
【図５】
2004244987.tif 000007
【図６】
2004244987.tif 000008
【図７】
2004244987.tif 000009
【図８】
2004244987.tif 000010
【図９】
2004244987.tif 000011
【図１０】
2004244987.tif 000012
【図１１】
2004244987.tif 000013
【図１２】
2004244987.tif 000014
【図１３】
2004244987.tif 000015
【図１４】
2004244987.tif 000016
【図１５】
2004244987.tif 000017
【図１６】
2004244987.tif 000018
【図１７】
2004244987.tif 000019
【図１８】
2004244987.tif 000020
【図１９】
2004244987.tif 000021
【図２０】
2004244987.tif 000022
【図２１】
2004244987.tif 000023